(57)【要約】【課題】  パッケージング及び分配装置を構造的にかなりシンプルで、実用的且つ有利なものにすること。【解決手段】  本発明は、物質（Ｐ）をパッケージングし且つ、分配する装置に関連するもので、物質を収容するハウジング（９）と、スクリーンを備え、スクリーンを介して物質を得る。パッケージング装置は、第一要素（５；５´）と第二要素（６；６´）を備え、前記物質で充填する前の装置の第一状態で、一方の要素を他方の要素に関して予定された位置に予め配置させることができ、装置の次の状態で、ハウジングの容量を減少させるため摺動させることができる。【選択図】図１
2006212450.tif 000002
【特許請求の範囲】
【請求項１】
物質（Ｐ）をパッケージングし且つ、分配するため、物質を収容するハウジング（９）と、スクリーンを備え、スクリーンを介して物質を得る装置において、
第一要素（５；５´）と第二要素（６；６´）を備え、前記物質で充填する前の装置の第一状態で、一方の要素を他方の要素に関して予定された位置に予め配置させることができ、装置の次の状態で、ハウジングの容量を減少させるため摺動させることができることを特徴とする装置。
【請求項２】
一方の要素を他方の要素に関して予め配置できるように、少なくとも二つの突出した共動部分（３７、３８；３７、３８´；３７´、３８）を具備することを特徴とする請求項１に記載の装置。
【請求項３】
二つの要素（５、６；５´、６´）が、前記予定の位置にスナップ固定することによって、共働するように配置されることを特徴とする請求項１または２に記載の装置。
【請求項４】
第一要素（５；５´）が、ハウジングの端壁（１０）を具備し、第二要素（６；６´）が、ハウジングの側壁（１２）を具備することを特徴とする請求項１〜３のいずれか一項に記載の装置。
【請求項５】
スクリーン（２６）が、第二要素（６；６´）によって支持されることを特徴とする請求項１〜４のいずれか一項に記載の装置。
【請求項６】
一方の要素（５；５´）によって支持されるシール手段（１７；１７´）が、他方の要素（６；６´）に対して当接することを特徴とする請求項１〜５のいずれか一項に記載の装置。
【請求項７】
シール手段が、第一要素（５；５´）の壁に組み込むように形成されたシールリップ（１７´）を備えることを特徴とする請求項６に記載の装置。
【請求項８】
シール手段が、一方の要素の壁（１４）に形成された溝（１５）に収容されることを特徴とする請求項６に記載の装置。
【請求項９】
第一要素が、内部スカート（１４）及び外部スカート（１９）を有し、それらの間に第二要素（６；６´）が嵌め込まれて、自由に摺動する溝（２２）を画定することを特徴とする請求項１〜８のいずれか一項に記載の装置。
【請求項１０】
外部スカートが外部にネジが付いていること、装置が前記外部スカートにねじ込むのに適した蓋（４）を具備することを特徴とする請求項９に記載の装置。
【請求項１１】
前記第一要素及び第二要素が、前記予定の位置にある時に配置される蓋（４）を具備し、一方の要素（５；５´）を他方の要素（６；６´）に関して動かして、物質を収容するハウジング（９）の容量を変化させるため、蓋がねじ込まれることを特徴とする請求項１〜１０のいずれか一項に記載の装置。
【請求項１２】
第二要素が、第一要素に関して前記予定の位置にある時、蓋（４）が、スクリーン（２６）の外周に対して当接するのに適切な肩部（４３）を有することを特徴とする請求項１１に記載の装置。
【請求項１３】
蓋の下で、且つスクリーンの上に収納されたパウダーパフ（３）を具備することを特徴とする請求項１１または１２に記載の装置。
【請求項１４】
スクリーン（１６）が、スクリーン上にオーバー成形される支持部（１１´）によって保持されることを特徴とする請求項１〜１３のいずれか一項に記載の装置。
【請求項１５】
物質（Ｐ）をパッケージングし且つ、分配するため、物質を収容するハウジング（９）と、スクリーンを備え、スクリーンを介して物質を得るため、互いに摺動できる二つの要素（５、６；５´、６´）を備え、その関連した動作によって、前記ハウジングの容量を変えられる、装置を製造する方法において、
二つの要素を予定の位置に持っていくステップと、
前記ハウジングを物質（Ｐ）で充填するステップと、
を含むことを特徴とする方法。
【請求項１６】
更にハウジングを物質で充填した後、スクリーン（２６）を配置するステップを含むことを特徴とする請求項１５に記載の方法。
【請求項１７】
一方の要素は、蓋（４）を一方の要素に取り付けることによって、他方の要素に関して動かされ、他方の要素は、蓋が他方の要素に対して当接することができ、蓋を適所に配置した第一の場合で変位する際に、他方の要素を動かすことができるように配置される、ことを特徴とする請求項１６に記載の方法。
【請求項１８】
蓋を、ねじ込むことによって適所に配置することを特徴とする請求項１７に記載の方法。
【請求項１９】
二つの要素が、前記二つの要素の突出した部分（３７、３８；３７´、３８；３７、３８´）を共動させることによって、前記予定位置に持ってこられることを特徴とする請求項１５〜１８のいずれか一項に記載の方法。
【発明の詳細な説明】
【技術分野】
【０００１】
本発明は、例えばパウダー状または半固体状で作られた物質、特に化粧品をパッケージング、分配する装置に関連する。
【背景技術】
【０００２】
本発明は、更に物質を収容するハウジングと、スクリーンを備え、そのスクリーンを介して物質が得られる装置に特に関連する。
【発明の開示】
【発明が解決しようとする課題】
【０００３】
それには、構造的にかなりシンプルで、実用的な装置による利点を得る必要がある。
【０００４】
また簡単に物質で充填することができる装置から利点を得る必要がある。
【課題を解決するための手段】
【０００５】
本発明による新しい装置は、第一要素と第二要素を備え、それらの要素は、前記物質で充填される前の装置の第一状態で、一方の要素を他方の要素に関する予定の位置に予め配置することができ、装置の次の状態で、ハウジングの容量の減少させるように摺動できる。
【０００６】
従って本発明によって、ハウジングが予定量を与えることができ、その際他方に関連して一方の要素を正確に配置するため、装置の外部に手段を備える必要もなく、ハウジングが充填される。装置を物質で充填する動作は、従って簡略化される。
【０００７】
特別な実施形態において、装置が少なくとも二つの突出した共働部分を、一方の要素を他方の要素に関して予め配置させることができるように具備する。
【０００８】
また特別な実施形態では、二つの要素が前記予定の位置にスナップ固定して、共働するように配置される。
【０００９】
第一要素がハウジングの端壁を具備し得、別の要素がハウジングの側壁を具備する。
【００１０】
特別な実施形態において、スクリーンが第二要素、すなわち側壁を有した要素によって指示される。有利には、一方の要素によって支持されたシール手段が、別の要素を押して、二つの要素の間にある摺動クリアランスを介する、物質または物質の構成成分の漏れを防止する。摺動手段は一方の要素、特に第一要素の壁、または要素の一方の壁に形成された溝に受容されるＯリングに、組み込むように作られたシールリップを備え得る。
【００１１】
第一要素は、内部スカートと外部スカートを有し得、それらの間に溝を画定し、そこに第二要素が嵌め込まれて自由に摺動する。
【００１２】
有利には外部スカートが、外ネジを有し、装置は前記外部スカートにねじ込むのに適切な蓋を具備する。
【００１３】
第一及び第二要素が、上記の予定位置にある時、そして蓋がそこにねじ込まれる間、蓋が一方の要素を他方の要素に関して移動して、物質含有ハウジングの容量を変えるように配置され得る。特に、第二要素が第一要素に関して前記予定の位置にある時、蓋はスクリーンの外周に対して当接する適切な肩部を具備し得る。
【００１４】
装置は、蓋の下、すなわちスクリーンの上に収納されたパウダーパフを具備し得る。
【００１５】
スクリーンは、スクリーン上にオーバー成形された支持部によって保持され得る。
【００１６】
また本発明は、物質を収容するハウジングと、物質を通過させ得るスクリーンとを有し、互いに摺動することができる二つの要素を備えた、パッケージング及び分配装置を製造する方法も提供し、二つの要素の関連動作は、前記ハウジングの容量を変化させる際に行われ、その方法は、
二つの要素を予定の位置にもっていくステップと、
前記ハウジングを物質で充填するステップと、
を含む。
【００１７】
本発明による特別な実施形態において、本方法は更に、装置が物質で充填された後、スクリーンを適所に配置すること行うステップを含む。
【００１８】
また本発明の特別な実施形態では、一方の要素が、蓋を一方の要素に取り付けることによって、他方の要素に関して移動され、他方の要素は、蓋がその要素に当接することができ、適所に置いている間、他方の要素を動かすように、配置される。蓋はねじ込むことによって適所に配置され得る。二つの要素は、二つの要素上に突出した部分を共動させることによって、前記予定の位置に持っていかれ得る。
【発明を実施するための最良の形態】
【００１９】
本発明による別の特徴及び利点は、それに限定されない実施形態に関する以下の詳細な記載を読み、添付図面を考察することによって明らかになるであろう。
【実施例】
【００２０】
図１に示されているパッケージング及び分配装置１は、ベース２、パウダーパフ３、蓋４を備えている。
【００２１】
ベース２は、第一要素５と、一定の状態で、第一要素５に関し軸線Ｘに沿って摺働できる、第二要素６を有している。
【００２２】
記載の実施例において、第一要素５は、本体７と端壁８を構成する組立体によって形成されている。第一要素５は、物質Ｐ例えば、ファウンデーションメイクアップのような、半固体状の化粧品の供給部を構成するハウジング９を画定するため、第二要素６と共働する。本体７は、ハウジング９の端壁を画定する壁１０を有し、第二要素６は、ハウジング９の側部を画定する壁１２を具備した、環状部分１１を有している。壁１０は、その頂部分に形成され、且つ本例では、壁１２に対し漏れ防止方法により当接するシールガスケット１７を嵌め込む、環状溝１５を有した、内部スカート１４に接続されている。
【００２３】
また本発明は、ネジ２０を備えた外部スカート１９を有している。
【００２４】
内部スカート１４及び外部スカート１９は、壁２１によって互いに結合されており、それらの間に環状溝２２を画定しており、そこを第二要素６が摺動できる。
【００２５】
蓋１４がベース２に配置された時、ネジ２０は、蓋１４の表面に対し、漏れ防止方法で押す環状シールリップに配置されている。
【００２６】
本体７は、図１に示されているように、分離した端壁８用のハウジングを画定する周辺リム２５を備えている。端壁８が、その中心をオリフィス３９によって貫通されている。
【００２７】
上記の例において、第二要素６が、部分１１だけでなく、その外周でリング２７によって支持されているスクリーン２６を備えている。リングは、部分１１の壁１２の頂端縁部上と、部分１１上に固定された支持部２８の内向きのフランジ２９上で止まっている。リング２７は、それを支持部２８上に配置させることができるリブ３０を有している。部分１１は、壁１２と同軸で、嵌め合わせるための支持部２８を具備した組立部分３２を有している。また部分１１は、その外周に外部スカート１９の内面と共働するための環状リップ３４も有し、上記のようにハウジング９が物質Ｐで充填される間、第二要素６を第一要素５に関して、予定の位置に保持するようになっている。別の実施形態において、環状リップ３４が、連続していないか、またはタブに取り替えられる。リップ３４は、その放射状外側部に、図６において拡大寸法で示されているように、突出した一つ以上の部分３８に対して当接することができるビード３７を備えている。突出した特定のまたは各部分３８は、環状リブ部分の形で、外部スカート１９の放射状内面に作られ得、リップ３４を弾性的に変形させることによって、突出した部分を通過してビード３７を動かすことができる。変形例では、リブ部分３８が溝３８´と交換することができ、その中にビード３７が図７に示したように、スナップ固定することができる。ビード３７は、図８に示したように、溝３７´と取り替えられ得る。
【００２８】
パウダーパフ３は、種々の方法で作ることができ、例えば一個の発泡体によって構成され、任意にその表面をフロック加工することができる。
【００２９】
蓋４は、スカート４１を有し、その底部分が内ネジ４２を有し、その頂部分は、蓋がねじ込まれている間、第二要素６に対して当接する肩部４２を画定するため段状をしている。肩部４３の上には、蓋４がパウダーパフ３を受容するハウジング４４がある。
【００３０】
装置１は、以下のように組立てられ且つ充填される。
【００３１】
第一に、端壁８を本体７に固定し、Ｏリング１７が対応する溝１５に配置され、その後に、ビード３７がリブ部分３８に対して当接するまで、第二要素６が第一要素に差し込まれ、それによって、第二要素６を第一要素５に関して、ハウジング９の予定量を画定するため予定の位置に、保持することができる。ハウジング９は、物質の頂面Ｓのレベルが壁１２の頂縁部１８の下に残るように、選択された物質Ｐの量を充填される。その後、スクリーンに支持され且つ支持部２８にねじ込まれたリング２７が、図３に示されたように、部分１１に配置される。そしてパウダーパフ３がスクリーン２６に配置され、そして図４に示されたように、蓋４が外部スカート１９にねじ込まれる。蓋がねじ込まれている間、肩部４３がリング２７に対して当接し、連続してネジ締めすると、第二要素６を第一要素５に関して下方へ動かし、それによってビード３７をリブ部分３８を通過させる。蓋が充分にねじ込まれると、蓋４のスカートの底縁部が、リム２５に対して当接する。蓋４がねじ込まれる間、第二要素６を下方へ動かすストロークは、スクリーンが部分１１上に固定された後、実質的に物質Ｐの表面Ｓとスクリーン２６との間の距離ｄに対応し、そのストロークは前記距離よりも、幾分か小さくなる。リップ２３が蓋のスカート４１の内面に対し、耐漏方法で当接する。
【００３２】
連続して多くの物質を使用する場合、物質Ｐが、壁１０とスクリーン２６との間に介在することによって、第二要素６が下方へ動かないようにして、第二要素６が第一要素５に関して下方へ動くことができる。リブ部分３８は、例えば装置が偶発的に逆さまになった場合、本体７に第二要素６を保持するために作用する。
【００３３】
図５は、全ての物質が使用された後の装置１を示している。スクリーン２６は壁１０に対して止まっていることは明らかであろう。したがって本発明は、実用的にパッケージングされた物質を全て使用することが可能にする。
【００３４】
別のシール手段を、Ｏリング１７の代わりに二つの要素の間に備えることができる。一例として、図９に示されているベース２´は第一要素５´と、上記のものとは異なってＯリング１７及び対応する溝１５がなく、それらを環状リップ１７´に代えた第二要素６´とを有している。第一要素５´では、端壁１０が前例の壁１０よりも直径の小さな端壁１０´に代えられており、それは端壁１０´がリップ１７´によって囲まれているからである。リップ１７´は環状溝によって端壁１０´から分離されており、第一要素５´の内部スカートの頂部分に接続されている。ベース２´はベース２とも異なって、スクリーン２６がスクリーン上でオーバー成形することによって、組立てられると、第二要素６´の一部分１１及びリング２７が、単一部分１１´を構成する。したがって、スクリーン２６及び部分１１´が、単一構成要素を形成し、それが第二要素６´の残りの部分に配置される。組立スカート３２は、図９の実施例には存在しない。
【００３５】
当然ながら、本発明は上記の実施例に限定されるものではない。特に、ハウジングが物質Ｐで充填される間、第二要素を第一要素に関して予定された位置に保持することができる、その手段は、多くのほかの方法で実行することができる。二つの要素において突出した共働部分に関して、互いに組み込んで形成されることが利点であるが、例えば一滴の接着剤を付けることによって、一方の要素上に突出した部分を作ることも可能である。
【図面の簡単な説明】
【００３６】
【図１】本発明による実施例を構成する装置の概略的な軸線方向断面図。
【図２】予定の位置にある図１の装置であり、物質で充填し得た状態を示した図。
【図３】スクリーンが適所に配置した状態の図。
【図４】蓋をねじ込んだ後の装置を示した図。
【図５】一度物質を使い終えた装置を示した図４に類似の図。
【図６】図１の詳細図。
【図７】突出した共働部分の別の実施例。
【図８】突出した共働部分のまた別の実施例。
【図９】別の実施例を構成するベース。
【符号の説明】
【００３７】
１    パーッケージ及び分配装置
２    ベース
２´  ベース
３    パウダーパフ
４    蓋
５    第一要素
５´  第一要素
６    第二要素
６´  第二要素
７    本体
８    端壁
９    ハウジング
１０  壁
１０´端壁
１１  環状部分
１１´単一部分
１２  壁
１４  内部スカート
１５  環状溝
１７  シールガスケット／Ｏリング
１７´環状リップ
１８  頂縁部
１９  外部スカート
２０  ネジ
２２  環状溝
２５  リム
２６  スクリーン
２７  リング
２８  支持部
３０  リブ
３４  環状リップ
３７  ビード
３７´溝
３８  部分
３８´溝
３９  オリフィス
４１  スカート
４２  内ネジ
４３  肩部
４４  ハウジング
【図１】
2006212450.tif 000003
【図２】
2006212450.tif 000004
【図３】
2006212450.tif 000005
【図４】
2006212450.tif 000006
【図５】
2006212450.tif 000007
【図６】
2006212450.tif 000008
【図７】
2006212450.tif 000009
【図８】
2006212450.tif 000010
【図９】
2006212450.tif 000011